(57)【要約】      （修正有）【課題】転写フィルムリボンをしっかりと保持することができる保持装置を提供する。【解決手段】ソレノイド装置３２によって操作軸２５を突出させると、スライダ２２が左方に移動し、リンクロッド１３がスライダ２２側に回動することにより、各パネル１１が軸棒２０に接近し、ボビン１０が縮径する。逆に、ソレノイド装置３２によって操作軸２５を退動させると、リンクロッド１３が直立側に回動することにより、各パネル１１が軸棒２０から離反する方向に移動し、ボビン１０が拡径する。円筒状リードフィルムをボビン１０に外嵌させた後、ボビン１０を拡径させ、ボビン１０の外周面を円筒状リードフィルムの内周面に密着させる。【選択図】図２
2019018996.tif 000002
【特許請求の範囲】
【請求項１】
転写フィルムリボンを保持するためのボビンを備えた転写フィルムリボンの保持装置において、
前記ボビンを拡径させる手段を備えたことを特徴とする転写フィルムリボンの保持装置。
【請求項２】
前記ボビンは、周方向に配列された、円弧状に湾曲した複数枚のパネルと、
各パネルをボビンの径方向に進退させる進退機構とを有することを特徴とする請求項１に記載の転写フィルムリボンの保持装置。
【請求項３】
前記進退機構は、リンク機構を有することを特徴とする請求項２に記載の転写フィルムリボンの保持装置。
【請求項４】
前記ボビンの軸心に軸棒が配置されており、
前記パネルは、スポークを介して前記軸棒に対して径方向移動可能に支持されており、
前記軸棒に沿って移動可能にスライダが設けられており、
前記スライダと前記パネルとの間にリンクロッドが架設されており、前記スライダが軸線方向に移動することにより各パネルが径方向に移動することを特徴とする請求項３に記載の転写フィルムリボンの保持装置。
【請求項５】
前記スライダを軸線方向に移動させるためのソレノイド装置が設けられていることを特徴とする請求項４に記載の転写フィルムリボンの保持装置。
【請求項６】
転写フィルムリボンを保持するためのボビンを備えた転写フィルムリボンの保持装置において、
前記ボビンの外周面から突出可能な複数のピンと、前記ピンを突出方向に移動させるための移動手段とを備えたことを特徴とする転写フィルムリボンの保持装置。
【請求項７】
前記ボビンは中空円筒状であり、前記移動手段は、ボビン内にエアーを供給して前記ピンをエアー圧で突出方向に付勢するエアー供給手段であることを特徴とする請求項６に記載の転写フィルムリボンの保持装置。
【請求項８】
転写フィルムリボンを保持するためのボビンを備えた転写フィルムリボンの保持装置において、
前記ボビンは中空円筒状であり、
前記ボビン内の排気手段と、前記ボビンに設けられた通気孔とを有する真空チャック機構を備えたことを特徴とする転写フィルムリボンの保持装置。
【請求項９】
転写フィルムリボンを保持するためのボビンを備えた転写フィルムリボンの保持装置において、
前記ボビンに設けられた電極と、前記電極に電圧を印加する電圧印加手段とを有する静電チャック機構を備えたことを特徴とする転写フィルムリボンの保持装置。
【請求項１０】
前記転写フィルムリボンの一端側が巻回されて円筒状となっており、この円筒状の部分が前記ボビンに外嵌されることを特徴とする請求項１乃至９のいずれかに記載の転写フィルムリボンの保持装置。
【請求項１１】
前記転写フィルムリボンの一端側にリードフィルムが設けられており、このリードフィルムが巻回されて円筒状となっていることを特徴とする請求項１０に記載の転写フィルムリボンの保持装置。
【請求項１２】
熱転写シートを供給する供給部と、
前記熱転写シートを用いて印画を行う印画部と、
前記熱転写シートを巻き取る巻取部と、
を備え、
前記供給部及び前記巻取部の少なくともいずれか一方が請求項１乃至１１のいずれかに記載の前記保持装置を有することを特徴とする熱転写プリンタ。
【請求項１３】
先端が巻回されて巻回体となっている熱転写シートを備えた転写フィルムリボン。
【発明の詳細な説明】
【技術分野】
【０００１】
本発明は、熱転写フィルム等の転写フィルムリボンを保持する保持装置に関する。また、本発明は、保持装置を有する熱転写プリンタに関する。さらに、本発明は転写フィルムリボンに関する。
【背景技術】
【０００２】
昇華型熱転写記録や感熱溶融転写記録に用いられる熱転写シートは、供給用ボビンに巻き取られた形で供給され、熱転写プリンタ内あるいはカセットの巻取り用ボビンに、熱転写シートの先端を両面粘着テープ等により、接着させて固定していた。このような接着固定の方法は、巻取り用ボビン側だけではなく、供給用ボビン側でも同様の方法により実施されている。そして、熱転写シートは、サーマルヘッドで熱転写記録され、記録後の熱転写シートは巻取り用ボビンに巻き取られている。
【０００３】
特許文献１には、転写フィルムの先端に連結した厚手のリードフィルムを巻回して筒状体とし、この筒状体の外周に転写フィルムを巻き取ることが記載されている。特許文献１では、厚手のリードフィルムは、両側縁がスプロケットホイール状のピン付き巻取ギアに巻き取られることによりリードフィルムが筒状体とされ、この筒状体の外周に転写フィルムが巻き取られる。
【０００４】
特許文献２には、熱転写シートの先端に円筒状のリードフィルムが接続されているリードフィルム付き熱転写シートが記載されている。この円筒状リードフィルムは、円筒状の巻取用ボビンに外嵌及び係合され、巻取用ボビンと共に回転してその外周に熱転写シートを巻き取る。
【０００５】
特許文献２では、円筒状リードフィルムが巻取用ボビンの外周面に沿って滑動する（即ち、巻取用ボビンが空転する）ことを防止するために、ボビン外周面に孔を設け、円筒状リードフィルムから切り起したフラップを孔に差し込む。
【先行技術文献】
【特許文献】
【０００６】
【特許文献１】特開平９−３１５６９０号公報
【特許文献２】特開２０１６−１９０７０２号公報
【発明の概要】
【発明が解決しようとする課題】
【０００７】
特許文献１には、リードフィルムのみをボビンとして使うので、変形してシワが出易いという課題がある。また、特許文献２には、最初にリードフィルムとボビンを係合させる必要がある為、供給側には使うことができないという課題がある。
【０００８】
本発明は、転写フィルムリボンをしっかりと保持することができる保持装置、及びこれを備えた熱転写プリンタを提供することを目的とする。
【課題を解決するための手段】
【０００９】
第１発明の転写フィルムリボンの保持装置は、転写フィルムリボンを保持するためのボビンを備えた転写フィルムリボンの保持装置において、前記ボビンを拡径させる手段を備えたことを特徴とするものである。
【００１０】
第１発明の一態様では、前記ボビンは、周方向に配列された、円弧状に湾曲した複数枚のパネルと、各パネルをボビンの径方向に進退させる進退機構とを有する。
【００１１】
第１発明の一態様では、前記進退機構は、リンク機構を有する。
【００１２】
第１発明の一態様では、前記ボビンの軸心に軸棒が配置されており、前記パネルは、スポークを介して前記軸棒に対して径方向移動可能に支持されており、前記軸棒に沿って移動可能にスライダが設けられており、前記スライダと前記パネルとの間にリンクロッドが架設されており、前記スライダが軸線方向に移動することにより各パネルが径方向に移動する。
【００１３】
第１発明の一態様では、前記スライダを軸線方向に移動させるためのソレノイド装置が設けられている。
【００１４】
第２発明の転写フィルムリボンの保持装置は、転写フィルムリボンを保持するためのボビンを備えた転写フィルムリボンの保持装置において、前記ボビンの外周面から突出可能な複数のピンと、前記ピンを突出方向に移動させるための移動手段とを備えたことを特徴とするものである。
【００１５】
第２発明の一態様では、前記ボビンは中空円筒状であり、前記移動手段は、ボビン内にエアーを供給して前記ピンをエアー圧で突出方向に付勢するエアー供給手段である。
【００１６】
第３発明の転写フィルムリボンの保持装置は、転写フィルムリボンを保持するためのボビンを備えた転写フィルムリボンの保持装置において、前記ボビンは中空円筒状であり、前記ボビン内の排気手段と、前記ボビンに設けられた通気孔とを有する真空チャック機構を備えたことを特徴とするものである。
【００１７】
第４発明の転写フィルムリボンの保持装置は、転写フィルムリボンを保持するためのボビンを備えた転写フィルムリボンの保持装置において、前記ボビンに設けられた電極と、前記電極に電圧を印加する電圧印加手段とを有する静電チャック機構を備えたことを特徴とするものである。
【００１８】
第１〜４発明の一態様では、前記転写フィルムリボンの一端側が巻回されて円筒状となっており、この円筒状の部分が前記ボビンに外嵌される。この場合、前記転写フィルムリボンの一端側にリードフィルムが設けられており、このリードフィルムが巻回されて円筒状となっていてもよい。
【００１９】
本発明の熱転写プリンタは、熱転写シートを供給する供給部と、前記熱転写シートを用いて印画を行う印画部と、前記熱転写シートを巻き取る巻取部と、を備え、前記供給部及び前記巻取部の少なくともいずれか一方が第１発明乃至第４発明のいずれかの前記保持装置を有する。
【００２０】
本発明の転写フィルムリボンは、先端が巻回されて巻回体となっている熱転写シートを備える。
【発明の効果】
【００２１】
第１発明の保持装置では、ボビンを拡径させることにより、転写フィルムリボンの筒状部分をしっかりと保持することができる。
【００２２】
第２発明の保持装置では、ボビンの外周面からピンを突出させることにより、転写フィルムリボンの筒状部分をしっかりと保持することができる。
【００２３】
第３発明の保持装置では、真空チャックによって、転写フィルムリボンをしっかりと保持することができる。
【００２４】
第４発明の保持装置では、静電チャックによって、転写フィルムリボンをしっかりと保持することができる。
【図面の簡単な説明】
【００２５】
【図１】転写フィルムリボン及び巻取用ボビンの斜視図である。
【図２】第１の実施形態に係る転写フィルムリボン保持装置の断面図である。
【図３】図２のIII−III線に沿う拡大断面図である。
【図４】（ａ）図はリボン保持装置の一部の断面斜視図、（ｂ）図は（ａ）図のＢ−Ｂ線断面図である。
【図５】第２の実施の形態に係る転写フィルムリボン保持装置の断面図である。
【図６】図５のVI−VI線断面図である。
【図７】図５のVII−VII線に沿う拡大断面図である。
【図８】第３の実施の形態に係る転写フィルムリボン保持装置の断面図である。
【図９】第４の実施の形態に係る転写フィルムリボン保持装置の断面図である。
【図１０】熱転写シートの先端側の斜視図である。
【発明を実施するための形態】
【００２６】
図１〜図４を参照して、転写フィルムリボンと、第１の実施の形態に係る転写フィルムリボン保持装置について説明する。
【００２７】
図１の通り、転写フィルムリボン１は、比較的厚手のリードフィルムを円筒状に巻回してなる円筒状リードフィルム２と、一端が円筒状リードフィルム２に接着等により連結された熱転写シート３と、熱転写シート３が巻回された供給側の円筒状リードフィルム４とを有する。円筒状リードフィルム２が、転写フィルムリボンの保持装置５を構成する巻取用ボビン１０に矢印Ｙのように外嵌される。ボビン１０は、後述の通り拡径可能となっている。ボビン１０を拡径させることにより円筒状リードフィルム２の内周面に対しボビン１０の外周面が密着する。ボビン１０を回転させることにより、円筒状リードフィルム２が回転し、熱転写シート３が円筒状リードフィルム２に巻き取られる。
【００２８】
図示は省略するが、円筒状リードフィルム４も、巻取側の保持装置５を構成するボビン１０と同様の構成の供給用ボビンに外嵌される。供給用ボビンを回転させることにより、円筒状リードフィルム４が回転し、熱転写シート３が繰り出される。
【００２９】
なお、この実施の形態では、転写フィルムリボン１はリードフィルム２を備えているが、本発明では、リードフィルムが省略され、図１０に示すように熱転写シート３の先端部が巻回されて巻回体３ａとされ、この巻回体３ａがボビン１０に外嵌されて保持されてもよい。巻回体３ａ以外の筒状体に熱転写シート３が連なるものであってもよい。真空チャックや静電チャックの場合は、筒状体が省略され、熱転写シート３がボビン１０に直に巻回されてもよい。
【００３０】
ボビン１０を拡径させるための機構を備えた転写フィルムリボン保持装置５の構成について、図２〜４を参照して説明する。
【００３１】
この実施の形態では、ボビン１０は四分円弧形に湾曲したパネル１１を４枚備えている。各パネル１１は軸棒２０の周囲に周方向に配列されており、スポーク１２及びリンクロッド１３を介して軸棒２０に支持されている。スポーク１２は、一端がパネル１１の内周面に固着され、内周面と垂直方向に立設されている。
【００３２】
軸棒２０は、軸棒本体２１と、軸棒本体２１に外嵌し、軸棒本体２１の軸線方向に摺動自在となっている円筒状のスライダ２２と、軸棒本体２１の両端部にそれぞれ設けられたスポーク保持部２３と、軸棒本体２１の一端面から長手方向の途中まで穿設された軸穴２４と、軸穴２４に挿入された操作軸２５等を有する。
【００３３】
軸棒本体２１の両端側が軸受３０，３１によって回転可能に支持されている。図２の右側の軸受３１は、軸棒本体２１に対し着脱可能となっている。軸棒本体２１と軸受３１との連結を解除し、軸受３１を退動させることにより、図２の右方側から円筒状リードフィルム２がボビン１０に対し着脱可能となる。
【００３４】
図３に示す通り、スポーク保持部２３は、この実施の形態では円盤状であり、外周面から求心方向に４本の差込穴２３ａが設けられている。差込穴２３ａにスポーク１２が摺動自在に差し込まれている。なお、図３は図２のIII−III線断面図であるが、図２のＡ−Ａ線断面図も図３と同一となる。
【００３５】
リンクロッド１３は、一端がパネル１１の内周面の取付座１１ａに軸ピン（符号略）により回動自在に連結され、他端が円筒状スライダ２２の外周面の取付座２２ａに軸ピン（符号略）により回動自在に取り付けられている。
【００３６】
図４に明示される通り、軸棒本体２１には、軸穴２４と軸棒本体２１の外周面とを連通する窓孔２１ａが設けられている。窓孔２１ａ内に挿通された連結片２２ｂによってスライダ２２と操作軸２５とが連結されている。
【００３７】
操作軸２５の他端は、軸棒本体２１から軸心線方向に延出しており、その先端に操作軸２５を軸心線方向に進退させるためのプッシュプル式のソレノイド装置３２が設けられている。
【００３８】
ソレノイド装置３２によって操作軸２５を突出（図２の左方に移動）させると、スライダ２２が左方に移動し、リンクロッド１３がスライダ２２側に回動することにより、各パネル１１が軸棒２０に接近し、ボビン１０が縮径する。逆に、ソレノイド装置３２によって操作軸２５を退動（図２の右方に移動）させると、リンクロッド１３が直立側に回動することにより、各パネル１１が軸棒２０から離反する方向に移動し、ボビン１０が拡径する。
【００３９】
軸棒本体２１の先端には、軸棒２０を回転させるためのギヤ３３が取り付けられている。
【００４０】
このように構成された転写フィルムリボンの保持装置５においては、ソレノイド装置３２で操作軸２５を突出させることによってボビン１０を縮径させておき、円筒状リードフィルム２をボビン１０に外嵌させた後、ボビン１０を拡径させ、ボビン１０の外周面を円筒状リードフィルム２の内周面に密着させる。ボビン１０を回転させることにより、円筒状リードフィルム２に熱転写シート３が巻き取られる。
【００４１】
熱転写シート３の巻取終了後は、ソレノイド装置３２で操作軸２５を突出させることによってボビン１０を縮径させた後、熱転写シート３が巻回された円筒状リードフィルム２をボビン１０から取り外す。
【００４２】
図５〜７を参照して、第２の実施の形態について説明する。
【００４３】
図５は、第２の実施の形態に係る転写フィルムリボン保持装置３５の一部の拡大図、図６は図５のVI−VI線断面図、図７は図５のVII−VII線拡大断面図である。この保持装置３５は、円筒状の巻取用ボビン３６と、ボビン３６の外周面から突出可能なピン３７と、ボビン３６の両端にボビン３６と同軸状に設けられた支軸３８と、一方の支軸３８の軸心位置に、ボビン３６内に連通するように設けられた孔よりなる第１流路３９と、支軸３８に設けられた回転継手４０等を有する。
【００４４】
回転継手４０は、図６にも示すように、支軸３８の外周面に対して僅かなシール隙間４１を有して設けられたリング形状の非接触シール部材４２と、この非接触シール部材４２を固定保持する固定リング４３と、この固定リング４３および非接触シール部材４２に半径方向に形成された第２流路４４と、支軸３８の外周に形成（周設）された第３流路４５と、第３流路４５と第１流路３９とを連通させるように支軸３８に径方向に形成された第４流路４６とを備えて構成されている。
【００４５】
非接触シール部材４２は、低摩擦材料（本実施形態ではカーボンブッシュ）によって構成されている。低摩擦材料としては、カーボンに限らず、ＰＴＦＥ等のフッ素樹脂などでもよい。
【００４６】
支軸３８の外周面と非接触シール部材４２とのシール隙間４１については、１μｍ〜２０μｍの範囲に設定されている。
【００４７】
第２流路４４にはエアーの供給吸引手段（図示略）が配管を介して接続されている。
【００４８】
前記ボビン３６は、フランジ３８ａを介して支軸３８に気密に連結されている。ボビン３６には、多数の小孔４８が半径方向に貫設され、小孔４８に前記ピン３７が装着されている。ボビン３６の外周面においては、小孔４８の周囲に凹所４８ａ（図７（ｂ））が設けられている。
【００４９】
ピン３７は、図７にも示すように、小孔４８に挿通されたピン軸部３７ａと、ピン軸部３７ａの先端すなわちボビン３６の外周側の端部に設けられたヘッド部３７ｂと、ピン軸部３７ａの後端に設けられたテール部３７ｃとを有する。ヘッド部３７ｂは凹所４８ａに内嵌する直径を有した略円盤状である。ヘッド部３７ｂが凹所４８ａに内嵌した状態では、ヘッド部３７ｂの先端面は、ボビン３６の外周面と面一状となる。テール部３７ｃは、ピン軸部３７ａから拡径するフランジ状であり、ピン３７が放射方向に突出した際に円筒状リードフィルム２の内周面に当接する。
【００５０】
このように構成された転写フィルムリボン保持装置３５においては、円筒状リードフィルム２を装着するときにはエアー供給・吸引手段によってボビン３６内を吸引し、図５及び図７（ａ）の通りピン３７を後退させておく。円筒状リードフィルム２をボビン３６に外嵌させた後は、ボビン３６内にエアーを供給し、エアー圧によって図７（ｂ）の通りピン３７を突出させ、ボビン３６に対し円筒状リードフィルム２を固定する。
【００５１】
円筒状リードフィルム２に熱転写シート３を巻き取った後は、ボビン３６内からエアーを吸引排出し、図５及び図７（ａ）の通りピン３７を後退させ、円筒状リードフィルム２に巻回された熱転写シート３の巻回体をボビン３６から取り外す。
【００５２】
図８を参照して第３の実施の形態に係る転写フィルムリボン保持装置５０について説明する。
【００５３】
この実施の形態は、図５〜７の第２の実施の形態において、ピン３７を省略し、円筒状リードフィルム２を小孔（通気孔）４８からのエアー吸引によってボビン３６に吸着保持させる真空チャック（エアーチャック。真空度は低くて足りる。）方式としたものである。この実施の形態では、小孔４８周囲の凹部４８ａは省略されている。その他の構成は第２の実施の形態と同一であり、同一符号は同一部分を示している。
【００５４】
ボビン３６に円筒状リードフィルム２を装着するときにはボビン３６内にエアーを供給するか又はエアー供給を停止しておく。円筒状リードフィルム２をボビン３６に外嵌させた後は、ボビン３６内を吸引し、円筒状リードフィルム２をボビン３６に吸着保持する。ボビン３６を回転させて熱転写シート３を円筒状リードフィルム２で巻き取る。巻き取り終了後は、ボビン３６内にエアーを供給してチャックを解除し、円筒状リードフィルム２に巻回された熱転写シート３の巻回体を取り出す。
【００５５】
図９を参照して第４の実施の形態に係る転写フィルムリボン保持装置５５について説明する。
【００５６】
この実施の形態では、ボビン５６の両端がフランジ５７ａを介して支軸５７によって支持されている。一方の支軸５７には軸心を貫通する孔５７ｂが設けられている。
【００５７】
この実施の形態は静電チャック方式によって円筒状リードフィルム２を保持するものであり、ボビン５６の内周面に電極板５８，５９が設けられている。支軸５７に設けられた集電リング６０，６１に対しハーネス６２，６３を介して電極板５８，５９が接続されている。集電リング６０，６１に対し給電ブラシ（図示略）が摺動自在に接している。ボビン５６及び支軸５７は合成樹脂等の絶縁体よりなる。
【００５８】
ボビン５６に円筒状リードフィルム２を装着するときには、電極板５８，５９へ電圧を印加しない。円筒状リードフィルム２をボビン３６に外嵌した後、電極板５８，５９に電圧を印加し、静電気によって円筒状リードフィルム２をボビン５６に吸着保持させる。熱転写シート３を巻き取った後は、電極板５８，５９への電圧印加を停止し、円筒状リードフィルム２を取り外す。なお、絶縁体よりなるボビン５６には、電荷が残留し、円筒状リードフィルム２が吸着されたままになる場合がある。そこで、絶縁体にある程度の導電性をもたせることが好ましい。また、電極板５８，５９に逆の電圧を印加し、誘起電荷を小さくするようにしてもよい。
【００５９】
転写フィルムリボン保持装置５，３５，５０，５５は、熱転写プリンタに設けられている。熱転写プリンタは、熱転写シート３を供給する熱転写シート供給部、熱転写シートを巻き取る熱転写シート巻取部、受像シートを供給する受像シート供給部、熱転写シート３の搬送途中に設けられた印画部を構成するプラテンローラ及びサーマルヘッド等を有する。熱転写シート供給部及び熱転写シート巻取部の少なくとも一方が、転写フィルムリボン保持装置５，３５，５０，５５を有する。熱転写シート３と受像シートは、プラテンローラとサーマルヘッドとの間を圧接状態で通過する。この時、サーマルヘッドが画像情報に応じて選択的に熱を加えることで、熱転写シート３のインクが受像シートに転写され、画像が形成される。
【００６０】
上記実施の形態はいずれも本発明の一例であり、本発明は図示以外の形態とされてもよい。
【符号の説明】
【００６１】
１  転写フィルムリボン
２，４  円筒状リードフィルム
３  熱転写シート
３ａ  巻回体
５，３５，５０，５５  転写フィルムリボン保持装置
１０，３６，５６  ボビン
１１  パネル
１２  スポーク
２２  円筒状スライダ
２５  操作軸
３２  ソレノイド装置
３７  ピン
４０  回転継手
５８，５９  電極板
６０，６１  集電リング
【図１】
2019018996.tif 000003
【図２】
2019018996.tif 000004
【図３】
2019018996.tif 000005
【図４】
2019018996.tif 000006
【図５】
2019018996.tif 000007
【図６】
2019018996.tif 000008
【図７】
2019018996.tif 000009
【図８】
2019018996.tif 000010
【図９】
2019018996.tif 000011
【図１０】
2019018996.tif 000012